(57)【特許請求の範囲】
【請求項１】
コアと、該コアに巻回される巻線と、該巻線の端部が接続される端子金具とを備えたコイル部品の継線方法であって、
該コアを準備するコア準備工程と、
端子金具本体部と、該端子金具本体部から突出し該巻線の一部に沿うように配置可能な溶融片とを有する該端子金具を準備する端子金具準備工程と、
該巻線の一端部を該溶融片に沿わせると共に該一端部の最先端を該溶融片の先端部より突出させて配置する配置工程と、
該巻線の他端をアースするアース工程と、
該巻線の該一端部の最先端からアーク放電を行う放電工程と、
該放電工程により形成されるアークにより該一端部の最先端から溶融させ始めた後に該溶融片を溶融させ始めると共に該一端部と該溶融片とで溶融玉を形成する溶融玉形成工程とを有して継線を行うことを特徴とするコイル部品の継線方法。
【請求項２】
該端子金具準備工程において、該端子金具本体部の一部をなし該コアから引き出された該巻線の端部を保持する保持部を有し該溶融片は該保持部に保持された該巻線が該保持部から引き出される方向に該保持部から突出する該端子金具を準備し、
該配置工程では、該一端部の最先端を該溶融片の先端部より突出させて該保持部に配置することを特徴とする請求項１記載のコイル部品の継線方法。
【請求項３】
該配置工程において、該巻線は該溶融片と重ね合わされることを特徴とする請求項１又は請求項２に記載のコイル部品の継線方法。
【請求項４】
該端子金具準備工程において該溶融片の熱容量より大きな熱容量の該保持部を準備することを特徴とする請求項２又は請求項３に記載のコイル部品の継線方法。
【請求項５】
該巻線を準備する巻線準備工程を更に備え、
該巻線準備工程において、導線を被覆で覆った該巻線を準備し、
該放電工程は、該被覆を剥離するプレ放電工程と、該溶接玉形成工程に連続する本放電工程とを含んでいることを特徴とする請求項１乃至請求項４のいずれか一に記載のコイル部品の継線方法。
【請求項６】
該端子金具準備工程において、先端を先細り形状に加工した該溶融片を準備することを特徴とする請求項１乃至請求項５のいずれか一に記載のコイル部品の継線方法。
【請求項７】
該コアはドラムコアと外周コアとを有し、
該コアに該端子金具を装着する装着工程を更に備え、
該コア準備工程において、該ドラムコアに該巻線を巻回すると共に、該ドラムコアの外周に該外周コアを配置し、
該装着工程において、該端子金具は該外周コアに装着されることを特徴とする請求項２乃至請求項６のいずれか一に記載のコイル部品の継線方法。
【請求項８】
該コア準備工程において、該外周コアには凹部が形成され、
該装着工程において、該端子金具は該保持部が該凹部内に配置されるように該外周コアに装着されることを特徴とする請求項７に記載のコイル部品の継線方法。
【請求項９】
該端子金具準備工程において、該保持部は板状をなし該溶融片は該保持部の表面に垂直をなす方向へ突出している該端子金具を準備することを特徴とする請求項２乃至請求項８のいずれか一に記載のコイル部品の継線方法。
【請求項１０】
該端子金具準備工程において、基端に近接するに従い向かって先端から基端に向かう方向と直交する幅が徐々に拡開するよう加工した該溶融片を準備することを特徴とする請求項１乃至請求項９のいずれか一に記載のコイル部品の継線方法。
【請求項１１】
該端子金具準備工程において、該端子金具本体部の一部をなす金具土台部と、該金具土台部から突出し該金具土台部と共に該巻線の端部を挟持することにより該コアから引き出された該巻線の端部を保持する保持部と、該金具土台部から突出する該溶融片とを有する該端子金具を準備することを特徴とする請求項１記載のコイル部品の継線方法。
【請求項１２】
該端子金具準備工程において、基端に近接するに従い向かって先端から基端に向かう方向と直交する幅が徐々に拡開するよう加工した該保持部を準備することを特徴とする請求項１１に記載のコイル部品の継線方法。
【請求項１３】
該端子金具準備工程において、該端子金具本体部の一部をなし該コアから引き出された該巻線の端部を掛けるための二股状分岐部と、該二股状分岐部から突出する該溶融片とを有する該端子金具を準備することを特徴とする請求項１記載のコイル部品の継線方法。
【請求項１４】
該端子金具準備工程において、該溶融片の周縁部が角部を有する該端子金具を用意することを特徴とする請求項１乃至請求項１３のいずれか一に記載のコイル部品の継線方法。
【請求項１５】
該端子金具準備工程において、該溶融片が突出する該端子金具本体部の部分の縁部が曲線状をなす該端子金具を用意することを特徴とする請求項１４に記載のコイル部品の継線方法。
【請求項１６】
該端子金具準備工程において、該溶融片の角部は１つのみ設けられた該端子金具を用意することを特徴とする請求項１４又は請求項１５記載のコイル部品の継線方法。
【発明の詳細な説明】
【技術分野】
【０００１】
本発明はコイル部品の継線方法に関し、特に溶接による継線方法に関する。
【背景技術】
【０００２】
コイル部品は、コアと、コアに巻回される巻線と、コアに装着されて巻線が継線されると共に基板への実装箇所になる端子金具とを備えており、巻線の端子金具への継線には、半田付けが用いられていた。巻線を半田付けする際には、予め巻線の半田付けがされる箇所の被覆を剥離して確実に半田付けを行う為に半田めっき等の予備半田処理が必要となる為、工数増加の原因となっていた。
【０００３】
この余分な工程を省く為、出願人らは、特許文献１に示されるように、溶接により、巻線と端子金具とを電気的・機械的に一体化する方法を開示している。
【特許文献１】特開２００７−２５８２０１号公報
【発明の開示】
【発明が解決しようとする課題】
【０００４】
溶接により巻線を継線する為、端子金具には、巻線を押さえるカシメ片と溶接箇所になるカシメ片との二個のカシメ片を備えている。このため、継線箇所のスペースが大きくなり、継線箇所がコイル部品の本体から突出する等、コイル部品の小型化・設計の自由度の観点から不都合が生じていた。
【０００５】
そこで、本発明は、継線箇所の構造を簡略化したコイル部品の継線方法を提供することを目的とする。
【課題を解決するための手段】
【０００６】
上記課題を解決する為に本発明は、コアと、該コアに巻回される巻線と、該巻線の端部が接続される端子金具とを備えたコイル部品の継線方法であって、該コアを準備するコア準備工程と、端子金具本体部と、該端子金具本体部から突出し該巻線の一部に沿うように配置可能な溶融片とを有する該端子金具を準備する端子金具準備工程と、該巻線の一端部を該溶融片に沿わせると共に該一端部の最先端を該溶融片の先端部より突出させて配置する配置工程と、該巻線の他端をアースするアース工程と、該巻線の該一端部の最先端からアーク放電を行う放電工程と、該放電工程により形成されるアークにより該一端部の最先端から溶融させ始めた後に該溶融片を溶融させ始めると共に該一端部と該溶融片とで溶融玉を形成する溶融玉形成工程とを有して継線を行うコイル部品の継線方法を提供している。
【０００７】
このような方法によると、溶接される巻線にアースが採られて接地される為、アークの着弾位置が安定し確実に巻線にアークを着弾させることができる。よってアークにより巻線が溶融する際に巻線の被膜が除去され、確実に隣接して配置された溶融片を巻き込んで溶融し、好適に巻線と溶融片とを溶接することができる。また溶融片は端子金具本体部から突出している為、溶融片に巻線と同様にアークが着弾し、巻線と同様に溶融することができる。これらのことから、溶接箇所となるカシメ片が不要になり、カシメ片の個数を減らすことができ、コイル部品の小型化を図ることができ、設計の自由度を高めることができる。
【０００８】
ここで、該端子金具準備工程において、該端子金具本体部の一部をなし該コアから引き出された該巻線の端部を保持する保持部を有し該溶融片は該保持部に保持された該巻線が該保持部から引き出される方向に該保持部から突出する該端子金具を準備し、該配置工程では、該一端部の最先端を該溶融片の先端部より突出させて該保持部に配置することが好ましい。
【０００９】
端子金具準備工程において、端子金具本体部の一部をなしコアから引き出された巻線の端部を保持する保持部を有し溶融片は保持部に保持された巻線が保持部から引き出される方向に保持部から突出する端子金具を準備し、配置工程では、一端部の最先端を溶融片の先端部より突出させて保持部に配置するため、保持部によって確実に巻線の端部を保持することができ、溶融片に沿わせられて溶融片に隣接して配線された巻線にアーク着弾時の衝撃によるぶれが発生することをより効果的に抑制できる。
【００１０】
また、該配置工程において、該巻線は該溶融片と重ね合わされることが好ましい。このように巻線を配置することにより、巻線にアークを着弾させた際に、より確実に溶融片を巻き込んで溶融することができる。
【００１１】
また、該端子金具準備工程において該溶融片の熱容量より大きな熱容量の該保持部を準備することが好ましい。この様な方法によると、溶融片のみ溶融し、保持部を確実に残すことができる。尚、アーク放電に必要な電力を適宜調節することにより、保持部をより確実に残すことができる。
【００１２】
また、該巻線を準備する巻線準備工程を更に備え、該巻線準備工程において、導線を被覆で覆った該巻線を準備し、該放電工程は、該被覆を剥離するプレ放電工程と、該溶接玉形成工程に連続する本放電工程とを含んでいることが好ましい。
【００１３】
このような方法によると、巻線を溶融するときに被覆が巻き込まれることが抑制される。よって溶融時に多量の被覆が一度に急激に燃焼することにより発生する炭化物によるスラッジの形成や、ガスの発生を抑制することができる。
【００１４】
また、該端子金具準備工程において、先端を先細り形状に加工した該溶融片を準備することが好ましい。このような方法によると、溶融片の先細り部分にアークが着弾しやすくなる。よって溶融片への着弾をより確実にすることができる。
【００１５】
また、該コアはドラムコアと外周コアとを有し、該コアに該端子金具を装着する装着工程を更に備え、該コア準備工程において、該ドラムコアに該巻線を巻回すると共に、該ドラムコアの外周に該外周コアを配置し、該装着工程において、該端子金具は該外周コアに装着されることが好ましい。
【００１６】
このような方法によると、端子金具から外周コアに熱の移動が発生する。よって端子金具が高温になることが抑制され、保持部の溶融を抑制することができる。
【００１７】
また、該コア準備工程において、該外周コアには凹部が形成され、該装着工程において、該端子金具は該保持部が該凹部内に配置されるように該外周コアに装着されることが好ましい。このような方法によると、溶接玉等の継線箇所がコイル部品の外形から突出することが抑制される。
【００１８】
また、該端子金具準備工程において、該保持部は板状をなし該溶融片は該保持部の表面に垂直をなす方向へ突出している該端子金具を準備することが好ましい。
【００１９】
端子金具準備工程において、保持部は板状をなし溶融片は保持部の表面に垂直をなす方向へ突出している端子金具を準備するため、保持部に引き出された巻線は保持部及び溶融片に沿って垂直に折り曲げられて保持部に係止されて引っ掛けられた状態となる。このように引っ掛けることにより、確実に巻線を溶融片に沿うように位置決めすることができる。
【００２０】
また、該端子金具準備工程において、基端に近接するに従い向かって先端から基端に向かう方向と直交する幅が徐々に拡開するよう加工した該溶融片を準備することが好ましい。このような構成によると、溶融片の基端側を溶融し難くすることができる。よって溶融片の基端側に位置する保持部が過度に溶融することを抑制できる。
【００２１】
また、該端子金具準備工程において、該端子金具本体部の一部をなす金具土台部と、該金具土台部から突出し該金具土台部と共に該巻線の端部を挟持することにより該コアから引き出された該巻線の端部を保持する保持部と、該金具土台部から突出する該溶融片とを有する該端子金具を準備することが好ましい。
【００２２】
端子金具準備工程において、端子金具本体部の一部をなす金具土台部と、金具土台部から突出し金具土台と共に巻線の端部を挟持することによりコアから引き出された巻線の端部を保持する保持部と、金具土台部から突出する溶融片とを有する端子金具を準備するため、金具土台部と保持部とで巻線の端部を挟持して保持することで、溶融片に対する巻線の端部の位置ずれを生じにくくすることができる。
【００２３】
また、該端子金具準備工程において、基端に近接するに従い向かって先端から基端に向かう方向と直交する幅が徐々に拡開するよう加工した該保持部を準備することが好ましい。
【００２４】
端子金具準備工程において、基端に近接するに従い向かって先端から基端に向かう方向と直交する幅が徐々に拡開するよう加工した保持部を準備するため、アーク溶接時に保持部の先端から基端へ向かって徐々に折れ曲がるようにすることができる。このため、このように折れ曲がった保持部で、巻線を包み込むようにして確実に巻線を保持することができる。
【００２５】
また、該端子金具準備工程において、該端子金具本体部の一部をなし該コアから引き出された該巻線の端部を掛けるための二股状分岐部と、該二股状分岐部から突出する該溶融片とを有する該端子金具を準備することが好ましい。
【００２６】
端子金具準備工程において、端子金具本体部の一部をなしコアから引き出された巻線の端部を掛けるための二股状分岐部と、二股状分岐部から突出する溶融片とを有する端子金具を準備するため、二股状分岐部に巻線の端部を掛けることで、巻線の端部を保持するための保持部を設けずに巻線の端部を保持できるので、端子金具の構造を簡単にすることができ、保持部により巻線の端部を保持するためのかしめの工程を省略することができる。
【００２７】
また、該端子金具準備工程において、該溶融片の周縁部が角部を有する該端子金具を用意することが好ましい。
【００２８】
端子金具準備工程において、溶融片の周縁部が角部を有する端子金具を用意するため、アーク放電によるアークを溶融片の角部に集中させることができる。このため、溶融片以外のところにアークが着弾するのを防ぐことができる。
【００２９】
更に、該端子金具準備工程において、該溶融片が突出する該端子金具本体部の部分の縁部が曲線状をなす該端子金具を用意することが好ましい。端子金具準備工程において、溶融片が突出する端子金具本体部の部分の縁部が曲線状をなす端子金具を用意するため、端子金具本体部にアークが着弾するのを防ぐことができる。
【００３０】
また、該端子金具準備工程において、該溶融片の角部は１つのみ設けられた該端子金具を用意することが好ましい。端子金具準備工程において、溶融片の角部は１つのみ設けられた端子金具を用意するため、アーク放電によるアークの着弾箇所を１箇所に集中させることができる。
【発明の効果】
【００３１】
以上より本発明は、継線箇所の構造を簡略化したコイル部品の継線方法を提供することができる。
【発明を実施するための最良の形態】
【００３２】
本発明の実施の形態に係るコイル部品及びコイル部品の継線方法を図１から図８に基づき説明する。図１に示されるコイル部品１は、コア２と、端子金具５と、巻線６とから主に構成されている。
【００３３】
コア２は、ドラムコア３と外周コア４とから構成されている。ドラムコア３は、両端に略円盤状の鍔部３Ａが配置され、両端の鍔部３Ａの間を巻線６が巻回される図示せぬ巻芯部で連結して構成されている。外周コア４は、外形が八角形の略環状に構成され、その八角形の中央部分にドラムコア３を挿入可能な孔４ａが形成されている。また外周コア４の孔４ａの貫通方向における一端面（上側端面）には、孔４ａ内面から外周コア４の外周面まで連続する溝状の凹部４ｂが形成されている。凹部４ｂは、一端面上において、孔４ａの中心軸を中心とする直径方向の一方側と他方側との二箇所にそれぞれ形成されている。図示せぬ巻芯部の軸方向を挿入方向としてドラムコア３が孔４ａ内に挿入されるように、外周コア４がドラムコア３の外周に配置されコア２が構成される。
【００３４】
端子金具５は、図８に示されるようにリン青銅（融点約１０００℃）にニッケルメッキ（融点約１４５０℃）がされた基材５１にスズメッキ５２（融点約２３０℃）がされており、図１に示されるように外周コア４の一方側の凹部４ｂ位置と他方側の凹部４ｂ位置とに装着されており、図２（ａ）（ｂ）に示されるように側壁部と側壁部から延びる二本の腕部とを備えて略コの字形状を成す装着部５Ａと、装着部５Ａの一腕部から延出される保持部５Ｂと、保持部５Ｂから延出される溶融片５Ｃとから構成されている。
【００３５】
装着部５Ａは、保持部５Ｂが設けられた一腕部が凹部４ｂ内に位置すると共に略コの字形状内部に外周コア４の凹部４ｂを構成する部分が挿入されるように、外周コア４に装着される。装着部５Ａにおいて、保持部５Ｂが設けられている一腕部は、図８に示されるように、僅かにコの字形状の内方へ向けて折り曲げられている。よって外周コア４に装着された状態で、装着部５Ａの一腕部の基端部分と外周コア４との間に空隙が形成される。
【００３６】
保持部５Ｂは、外周コア４に端子金具５が装着された状態で前述の直径方向と略平行に延びる装着部５Ａの一腕部の側縁から前述の直径方向と直交する方向に延出されて構成されている。
【００３７】
溶融片５Ｃは、外周コア４に端子金具５が装着された状態で、保持部５Ｂから前述の直径方向と平行かつ外周コア４の外周側に向けて延出され、図２（ｂ）に示されるように溶融片５Ｃ先端が、装着部５Ａの側壁部より突出するように構成されている。
【００３８】
また溶融片５Ｃは、その体積が保持部５Ｂに比べて小さく、かつ細長く構成されている為、熱容量が保持部５Ｂに比べて小さなっている。この溶融片５Ｃと巻線６の端部とが溶融して溶接玉７(図１)を形成する。装着部５Ａ、保持部５Ｂは端子金具本体部に相当する。
【００３９】
巻線６は、絶縁性の被覆を備えた導線から構成され、ドラムコア３の図示せぬ巻芯部に巻回されると共に、図３に示されるように、両端がそれぞれの端子金具５、５位置まで引き出されている。巻線６の一端部及び他端部は、切断された切り口から導線が露出した状態となっている。
【００４０】
上記構成のコイル部品１において、巻線６を端子金具５に継線する方法について、以下説明する。先ず、被覆された導線である巻線６を準備し（巻線準備工程）、上述のドラムコア３と外周コア４とを準備し（コア準備工程）、上述の端子金具５を準備し（端子金具準備工程）、外周コア４に端子金具５を装着し（装着工程）、巻線６をドラムコア３の図示せぬ巻芯部に巻回して巻線６の両端を図示せぬ巻芯部から引き出しておく。
【００４１】
巻線６を巻回されて両端が引き出されたドラムコア３を端子金具５が装着された外周コア４の孔４ａに挿入し、図３に示されるように、巻線６の端部を図示せぬ巻芯部から引き出して端子金具５，５に沿わせる（配置工程）。この配置工程において、巻線６は、その端部の最先端部が溶融片５Ｃの先端から突出するように配置され、保持部５Ｂが基端部分で折り曲げられて、保持部５Ｂと装着部５Ａとで巻線６が保持される。この時に巻線６の先端部と溶融片５Ｃとが略当接して重ね合わされる。
【００４２】
巻線６の端部が端子金具５に保持された状態で、図４に示されるように、巻線６の他端側にグランド電極９を採って接地し（アース工程）、巻線６の一端側にアーク溶接機８を近づけてアーク放電を行い、巻線６一端の最先端部にアークを着弾させる（放電工程）。巻線６は保持部５Ｂにより保持されている為、アークの着弾時の衝撃によるブレが生じ難く、確実に巻線６の最先端部に着弾することができる。この放電工程においては、先ず、巻線６の導線は溶融しないが発生する熱及び衝撃により被覆が飛散するように、アーク溶接機９のアーク放電に係る供給電力量を調整して放電を行う（プレ放電工程）。プレ放電工程により被覆を剥離した状態で、図５に示されるように巻線６の銅線部分が溶融する電力量のアーク放電を行う（本放電工程）。プレ放電工程と本放電工程との二度の放電を行うことにより、巻線６を溶融するときに被覆が溶融部分に巻き込まれることが抑制される。よって溶融時に多量の被覆が一度に急激に燃焼することにより発生する炭化物によるスラッジの形成や、ガスの発生を抑制することができ、良好な溶融部分を形成することができる。
【００４３】
溶融片５Ｃは、巻線６と重ね合わせられ、かつ保持部５Ｂ及び装着部５Ａから突出した構成を採っている為、巻線６と同様にアークが好適に着弾し、図６に示されるように溶融片５Ｃも溶融して巻線６の溶融箇所を巻き込み、好適に溶接を行うことができる。また溶融片５Ｃが設けられている保持部５Ｂは溶融片５Ｃに比べて熱容量が大きい為、溶融片５Ｃ及び巻線６の溶融が進んだ場合でも、保持部５Ｂは溶融しにくく、保持部５Ｂが過度に溶融することは抑制される。従って溶融片５は溶融するが保持部５Ｂは溶融しない条件にアーク溶接機９の電力量（熱量）を調整することにより、確実に保持部５Ｂを残すことができる。
【００４４】
溶接箇所近傍となる装着部５Ａの一腕部と側壁部とも加熱されて溶融するおそれがあるが、図８に示されるように側壁部が外周コア４と当接している為、この側壁部と外周コア４との当接位置から熱が外周コア４に拡散される。よって装着部５Ａに溶接時の熱が蓄熱されることが抑制され、装着部５Ａが溶融することが抑制されている。また装着部５Ａの一腕部と外周コア４との間には隙間が形成されているため、装着部５Ａの一腕部は、ある程度の高熱（スズメッキ５２が溶融する程度：２３０度以上）になり、スズメッキ５２が溶融する。溶融が図７に示されるように、保持部５Ｂ位置まで進んで溶接玉７が形成された状態で、一方側の端子金具５と巻線６との溶接による継線を終了する。なお、図１に示されるように溶接玉７は装着部５Ａの一腕部上に形成されているが、装着部５Ａの一腕部は外周コア４の凹部４ｂ内に位置している為、溶接玉７が外周コア４の上面から過度に突出することが抑制される。
【００４５】
溶接による継線が終了した状態で、溶接玉７は、図８に示されるように、保持部５Ｂに食い込むように接続されると共に巻線６に接続されている。保持部５Ｂに食い込むように接続されることにより、接続箇所（第一接続領域）を大きく採ることができ、保持部５Ｂと溶接玉７との接続をより強固にすることが可能になる。装着部５Ａの一腕部においては、スズメッキ５２が溶接玉７形成時の熱で溶融し、その後固着することによって溶接玉７と装着部５Ａの一腕部位置とを接続している（第二接続領域）。スズメッキ５２は端子金具５を製造する際に鍍金されて構成される為、溶接玉７と装着部５Ａとを接着する為のバインダを用意する必要が無くなり、作業の短縮化を図ることができる。尚、スズメッキ５２については、端子金具５の両面（外周コア４に接する面と、図示せぬ基板への実装面及び巻線６の端部が配置される面と、の二面）に必ずしも形成されている必要はなく、端子金具５の図示せぬ基板への実装面及び巻線６の端部が配置される面のみに形成されていてもよい。
【００４６】
また溶接玉７は保持部５Ｂと装着部５Ａとの二箇所で支持されることになり、溶接玉７が端子金具５に強固に固定されて好適に保持される。よって他の部品等に溶接玉７が当接したとしても、溶接玉７が端子金具５から脱落することが抑制され、好適に継線箇所を保持することができる。またこの溶融したスズメッキ５２により、巻線６の溶接されていない部分と保持部５Ｂ及び装着部５Ａとを接続する。よって保持部５Ｂにおいてより強固に巻線６を保持することが可能になる。
【００４７】
他方側の端子金具５と巻線６においても、一方側の端子金具５と巻線６との溶接と同様にアーク溶接により継線を行うことにより、図１に示されるコイル部品１が完成する。なお他方側の端子金具５における継線では、既に一方側の端子金具５と巻線６とが電気的に接続されている為、一方側の端子金具５にグランド電極８を接続してアースを採ればよい。
【００４８】
以上より、溶接箇所となるカシメ片（保持部）が不要になり、カシメ片の個数を減らすことができ、コイル部品の小型化を図ることができ、設計の自由度を高めることができる。
【００４９】
本実施の形態では、スズメッキ５２をバインダとして第二接着領域で端子金具５と溶接玉７とを接着したが、接着手段としてはこれに限らず、熱可塑性の樹脂や、一般の接着剤、または溶接などを用いて端子金具５と溶接玉７とを接着してもよい。また溶融片５Ｃにおいては、第一の変形例として図９に示されるように、その先端を先細り形状にしても良い。このような構成によるとアークが着弾しやすくなる。また第二の変形例として図１０に示されるように、溶融片５Ｃの先端部分から保持部５Ｂ（基端部分）に向けてその幅が徐々に拡大する様に構成しても良い。このような構成によると、溶融片５Ｃの基端部分を溶融し難くすることができ、溶融片５Ｃの基端側に位置する保持部５Ｂが過度に溶融することを抑制できる。
【００５０】
また図３においては、溶融片５Ｃと巻線６とが接するように重ね合わせたが、必ずしも接している必要はなく、溶融片５Ｃが巻線６の端部近傍に位置していてもよい。この場合、図５に示されるように、巻線６の端部が溶融して膨らむことにより、巻線６の近傍に位置している溶融片５Ｃと巻線６とが接触して導通し、溶融片５Ｃにもアークが着弾することができる。
【００５１】
本発明は、上記した実施の形態に限定されず、特許請求の範囲に記載された範囲で種々の変形や改良が可能である。例えば第三の変形例として、図１１に示されるように、巻芯部１０３と巻芯部１０３の両端に設けられた鍔部１０４とから構成されるコア１０２において、実施の形態の端子金具５と同様に、装着部１０５Ａと保持部１０５Ｂと溶融片１０５Ｃとを備えた端子金具１０５を鍔部１０４に装着する。そして端子金具１０５上に巻線１０６を配線し、巻線１０６の端部と溶融片１０５Ｃとを実施の形態と同様に溶接することにより、図１２に示されるように実施の形態の溶接玉７と同様の溶接玉１０７を形成することができる。
【００５２】
また、第四の変形例として、図１３乃至図１４に示されるように、端子金具準備工程では、端子金具本体部の一部をなす二股状分岐部を有する端子金具２０５を準備してもよい。
【００５３】
より具体的には、コイル部品２０１（図１４）の端子金具２０５は実装部２０５Ａ及び継線部２０５Ｂを有しており、実装部２０５Ａの長手方向の一端部に継線部２０５Ｂが設けられている。継線部２０５Ｂは、巻線６が未だ継線されていない状態で、実装部２０５Ａとの間に屈曲箇所を経て図１３の下方へ一段下げられて設けられている。
【００５４】
継線部２０５Ｂの当該一段下げられた部分の一部は、図１３に示されるように継線部２０５Ｂの面に垂直の方向、即ち図１３の上方向へ折り曲げられて突出する溶融片２０５Ｃをなしており、溶融片２０５Ｃとして折り曲げられた継線部２０５Ｂの部分は、実装部２０５Ａの方向へ切欠いたような形状の巻線掛け凹部２０５ａが形成された二股状分岐部をなしている。配線工程において二股状分岐部の巻線掛け凹部２０５ａには、図１３に示されるように、後述の巻線６の一端部となる部分が掛けられるように構成されている。
【００５５】
このように巻線６の一端部となる部分が掛けられているときに、図１３に示されるように、溶融片２０５Ｃは巻線６の一端部に沿った状態となっている。そして放電工程におけるアーク放電により、図１４に示されように、溶融片２０５Ｃと巻線６の一端部とが溶融して溶接玉２０１Ａが形成される。二股状分岐部を有する継線部２０５Ｂ、実装部２０５Ａは端子金具本体部に相当する。
【００５６】
端子金具準備工程では、二股状分岐部と二股状分岐部から突出する溶融片２０５Ｃとを有する端子金具２０５を準備するため、二股状分岐部に巻線６の端部を掛けることで、巻線６の端部を保持するための保持部を設けずに巻線６の端部を保持できるので、端子金具２０５の構造を簡単にすることができ、保持部により巻線６の端部を保持するためのかしめの工程を省略することができる。
【００５７】
また、第五の変形例として、図１５乃至図１６に示されように、端子金具準備工程において、端子金具本体部の一部をなす金具土台部３０５Ａと、金具土台部３０５Ａから突出する保持部３０５Ｂと、金具土台部３０５Ａから突出する溶融片３０５Ｃとを有する端子金具３０５を準備するようにしてもよい。金具土台部３０５Ａは、図１５に示されるように巻線６の端部となる部分に対向可能であり、また、保持部３０５Ｂは、図１５に示されるように折り曲げられることにより巻線６の端部となる部分に対向可能である。そして、配線工程において保持部３０５Ｂを更に折り曲げることにより金具土台部３０５Ａと保持部３０５Ｂとで巻線６の端部を挟持して、コアから引き出された巻線６の端部となる部分を保持する。金具土台部３０５Ａと保持部３０５Ｂとで巻線６の端部となる部分を挟持して保持することで、溶融片３０５Ｃに対する巻線６の端部となる部分の位置ずれを生じにくくすることができる。
【００５８】
保持部３０５Ｂは、図１５に示されるように、金具土台部３０５Ａに接続された基端に近接するに従い向かって先端から基端に向かう方向と直交する幅が徐々に拡開するよう加工されている。このため、アーク溶接時に保持部３０５Ｂの先端から基端へ向かって徐々に折れ曲がるようにすることができる。この結果、このように折れ曲がった保持部３０５Ｂで、巻線６を包み込むようにして確実に巻線６を保持することができる。
【００５９】
溶融片３０５Ｃは、図１６に示されるように、金具土台部３０５Ａから図１６の左下方向へ突出しており、その突出端の図の上側の端縁は角部３０５Ｄとなっている。これに対して下側の端縁は湾曲した曲面３０５Ｅとなっており、金具土台部３０５Ａの面に垂直な方向から見ると曲線状になっている。このように、溶融片３０５Ｃは角部３０５Ｄを有するため、アーク放電によるアークを溶融片３０５Ｃの角部３０５Ｄに集中させることができる。このため、溶融片３０５Ｃ以外のところにアークが着弾するのを極力防ぐことができる。また、溶融片３０５Ｃの角部３０５Ｄは１つのみ設けられているため、アーク放電によるアークの着弾箇所を１箇所に集中させることができる。
【００６０】
図１５に示されるように、配線工程において一のコイル部品を構成する端子金具３０５から当該一のコイル部品に隣接配置された他のコイル部品を構成する端子金具３０５に掛けるときに、巻線６の端部は溶融片３０５Ｃに沿った状態となる。そして放電工程におけるアーク放電により、溶融片３０５Ｃと巻線６の端部とが溶融して図示せぬ溶接玉が形成される。金具土台部３０５Ａは端子金具本体部に相当する。
【００６１】
また、第五の変形例と同様に第六の変形例として、図１７乃至図１８に示されように、端子金具準備工程において、端子金具本体部の一部をなす金具土台部４０５Ａと、金具土台部４０５Ａから突出する保持部４０５Ｂと、金具土台部４０５Ａから突出する溶融片４０５Ｃとを有する端子金具４０５を準備するようにしてもよい。
【００６２】
より具体的には、端子金具４０５は、図１７に示されるように、ドラムコア３を取り囲むようにして設けられた外周コア４の周面に固定される略コの字形状部４０５Ｆと、略コの字形状部４０５Ｆから外周コア４の周方向へ延出する周方向倣い部４０５Ｇと、周方向倣い部４０５Ｇに対して略垂直をなし、巻線６の一端部が載置される金具土台部４０５Ａと、金具土台部４０５Ａから延出し折り返されることにより金具土台部４０５Ａ共に巻線６の一端部を挟持し保持する保持部４０５Ｂと、金具土台部４０５Ａから巻線６の一端部の軸方向へ突出し巻線６の一端部に沿って配置される溶融片４０５Ｃとを備えている。
【００６３】
配線工程においてコアから引き出された巻線６の一端部となる部分は、図１７に示されるように、金具土台部４０５Ａ及び溶融片４０５Ｃ上に載置され、巻線６の一端は溶融片４０５Ｃの突出方向において溶融片４０５Ｃよりも突出した位置関係とされる。そして、図１８に示されるように平板状をした保持部４０５Ｂが折り返され、金具土台部４０５Ａと保持部４０５Ｂとで巻線６の一端部を挟持する。そして放電工程におけるアーク放電により、溶融片４０５Ｃと巻線６の端部とが溶融して図示せぬ溶接玉が形成される。金具土台部４０５Ａは端子金具本体部に相当する。
【００６４】
また、第七の変形例として、図１９乃至図２０に示されように、端子金具準備工程において、コイル部品５０１（図２０）を構成する端子金具本体部の一部をなす金具土台部５０５Ａと、金具土台部５０５Ａから突出する保持部５０５Ｂと、保持部５０５Ｂから突出する溶融片５０５Ｃとを有し、板状をなす保持部５０５Ｂの表面に垂直をなす方向へ溶融片５０５Ｃが突出している端子金具５０５を準備してもよい。
【００６５】
より具体的には、ドラムタイプコアを取り囲むようにして設けられたリングコアの周面に固定される略コの字形状部の一部が金具土台部５０５Ａをなし、保持部５０５Ｂは金具土台部５０５Ａから突出し折り返されて設けられている。溶融片５０５Ｃは保持部５０５Ｂの図１９に示される下縁から保持部５０５Ｂの表面に対して垂直をなす方向、即ち、図１９の右下方向へ延出して設けられている。
【００６６】
配線工程においてコアから引き出された巻線６は、図１９に示されるように、折り返された保持部５０５Ｂと金具土台部５０５Ａとの間を通すようにして図１９の上方から下方へと引き出され、保持部５０５Ｂと溶融片５０５Ｃとの接続位置において当該接続位置に倣って垂直に折り曲げられて引っ掛けられ、溶融片５０５Ｃの突出方向、即ち図１９の右下方向へ溶融片５０５Ｃに沿って引き出されている。このように引っ掛けることにより、確実に巻線６を溶融片５０５Ｃに沿うように位置決めすることができる。巻線６の一端は溶融片５０５Ｃの突出端よりも突出して配置される。そして放電工程におけるアーク放電により、溶融片５０５Ｃと巻線６の端部とが溶融して溶接玉５０１Ａが形成される。金具土台部５０５Ａを含めた略コの字形状部、保持部５０５Ｂは端子金具本体部に相当する。
【００６７】
また、第八の変形例として、端子金具準備工程において、本実施の形態の端子金具５に代えて、溶融片に角部を有し、溶融片が突出する端子金具本体部の部分の縁部は曲線状をなす端子金具を用意してもよい。更に、端子金具準備工程において、溶融片の角部は１つのみ設けられた端子金具を用意してもよい。
【００６８】
より具体的には図２１に示されように、溶融片６０５Ｃの図２１に示される左上端は角部６０５Ｈを有しており、左下端は曲線状になっている。従って、溶融片６０５Ｃは角部６０５Ｈを１つのみ有している。保持部６０５Ｂの一部であって溶融片６０５Ｃが突出している図の左側の縁部たる左上端６０５Ｉは曲線状になっている。このような構成とすることにより、アーク放電によるアークを溶融片６０５Ｃの角部６０５Ｈに集中させることができる。このため、溶融片６０５Ｃ以外のところにアークが着弾するのを防ぐことができる。更に溶融片６０５Ｃの角部６０５Ｈは１つのみ設けられているため、アーク放電によるアークの着弾箇所を１箇所に集中させることができる。保持部６０５Ｂは端子金具本体部に相当する。
【図面の簡単な説明】
【００６９】
【図１】本発明の実施の形態に係るコイル部品の完成状態での斜視図。
【図２】本発明の実施の形態に係るコイル部品の端子金具における（ａ）正面図、（ｂ）側面図。
【図３】本発明の実施の形態に係るコイル部品の継線前状態での斜視図。
【図４】本発明の実施の形態に係るコイル部品の継線にかかる工程であって巻線にアークが着弾した状態の平面図。
【図５】本発明の実施の形態に係るコイル部品の継線にかかる工程であって巻線が溶融した状態の平面図。
【図６】本発明の実施の形態に係るコイル部品の継線にかかる工程であって溶融片が溶融した状態の平面図。
【図７】本発明の実施の形態に係るコイル部品の継線にかかる工程であって一方の端子金具での継線が終了した状態の平面図。
【図８】図７のVII-VII線に沿った断面の概略図。
【図９】本発明の実施の形態に係るコイル部品の溶融片の第一の変形例に係る部分平面図。
【図１０】本発明の実施の形態に係るコイル部品の溶融片の第二の変形例に係る部分平面図。
【図１１】本発明の実施の形態の第三の変形例に係るコイル部品の平面図。
【図１２】本発明の実施の形態の第三の変形例に係るコイル部品の端子金具が装着された鍔部の部分斜視図。
【図１３】本発明の実施の形態の第四の変形例に係るコイル部品の製造方法においてコイル部品の二股状分岐部に巻線の一端部が掛けられた状態を示す斜視図。
【図１４】本発明の実施の形態の第四の変形例に係るコイル部品の製造方法により製造されたコイル部品を示す斜視図。
【図１５】本発明の実施の形態の第五の変形例に係るコイル部品の製造方法においてコイル部品の保持部に巻線の一端部が掛けられた状態を示す斜視図。
【図１６】本発明の実施の形態の第五の変形例に係るコイル部品の製造方法においてコイル部品の保持部に巻線の一端部が掛けられた状態を示す要部斜視図。
【図１７】本発明の実施の形態の第六の変形例に係るコイル部品の製造方法においてコイル部品の保持部に巻線の一端部が保持された状態を示す図であり、（ａ）は平面図、（ｂ）は側面図。
【図１８】本発明の実施の形態の第六の変形例に係るコイル部品の製造方法においてコイル部品のリングコアに装着される端子金具を示す図であり、（ａ）は平面図、（ｂ）は正面図、（ｃ）は側面図。
【図１９】本発明の実施の形態の第七の変形例に係るコイル部品の製造方法においてアーク溶接している様子を示す斜視図。
【図２０】本発明の実施の形態の第七の変形例に係るコイル部品の製造方法により製造されたコイル部品を示す斜視図。
【図２１】本発明の実施の形態の第八の変形例に係るコイル部品の製造方法においてコイル部品のリングコアに装着される端子金具を示す側面図。
【符号の説明】
【００７０】
１、２０１、５０１・・コイル部品  ２・・コア  ３・・ドラムコア  ３Ａ・・鍔部  ４・・外周コア  ４ａ・・孔  ４ｂ・・凹部  ５、１０５、２０５、３０５、４０５、５０５、６０５・・端子金具  ５Ａ・・装着部  ５Ｂ、１０５Ｂ、３０５Ｂ、４０５Ｂ、５０５Ｂ、６０５Ｂ・・保持部  ５Ｃ、１０５Ｃ、２０５Ｃ、３０５Ｃ、４０５Ｃ、５０５Ｃ、６０５Ｃ・・溶融片  ６・・巻線  ７・・溶接玉  ８・・アーク溶接機  ９・・グランド電極  ５１・・基材  ５２・・スズメッキ
【図１】
0004924598.tif 000002
【図２】
0004924598.tif 000003
【図３】
0004924598.tif 000004
【図４】
0004924598.tif 000005
【図５】
0004924598.tif 000006
【図６】
0004924598.tif 000007
【図７】
0004924598.tif 000008
【図８】
0004924598.tif 000009
【図９】
0004924598.tif 000010
【図１０】
0004924598.tif 000011
【図１１】
0004924598.tif 000012
【図１２】
0004924598.tif 000013
【図１３】
0004924598.tif 000014
【図１４】
0004924598.tif 000015
【図１５】
0004924598.tif 000016
【図１６】
0004924598.tif 000017
【図１７】
0004924598.tif 000018
【図１８】
0004924598.tif 000019
【図１９】
0004924598.tif 000020
【図２０】
0004924598.tif 000021
【図２１】
0004924598.tif 000022